(57)【要約】【課題】  電池の略端部に引っ掛けて起こした形態で前記電池を前記電池を装填して有る電池ケースからつまんで取り出す。しかし、前記引っ掛けて起こす力より前記電池ケースに設けて有る端子が前記電池を押さえる力の方が強いときは、前記引っ掛けて起こすことができないため、前記取り出すことが困難であるという短所があった。【解決手段】  つまみを有するリング状シートを装着した構成。【選択図】図１
2011238503.tif 000002
【特許請求の範囲】
【請求項１】
つまみを有するリング状シートを装着したことを特徴とする電池。
【請求項２】
つまみを有するリング状シートを外壁面に一体化したことを特徴とする電池。
【発明の詳細な説明】
【技術分野】
【０００１】
本発明は電池に係わる。
【背景技術】
【０００２】
特許文献１においては空気電池からシールフィルムを剥がす作業を容易にすると同時に機器への装填を容易にしたシールフィルム構造を備えた空気電池というところで本発明と目的を異にし、又、本発明と構成を異にする。
【先行技術文献】
【特許文献】
【０００３】
【特許文献１】特許第４２９８９８１号公報
【発明の概要】
【発明が解決しようとする課題】
【０００４】
電池の略端部に引っ掛けて起こした形態で前記電池を前記電池を装填して有る電池ケースからつまんで取り出す。しかし、前記引っ掛けて起こす力より前記電池ケースに設けて有る端子が前記電池を押さえる力の方が強いときは、前記引っ掛けて起こすことができないため、前記取り出すことが困難であるという短所があった。
【課題を解決するための手段】
【０００５】
つまみを有するリング状シートを装着したことを特徴とする。
【０００６】
つまみを有するリング状シートを外壁面に一体化したことを特徴とする。
【発明の効果】
【０００７】
本発明は、つまみを有するリング状シートを装着したことで、電池を装填して有る電池ケースに設けて有る端子が電池を押さえる力より該つまみをつまんで引っ張る力の方が強いため、該つまみをつまんで引っ張って電池を該電池ケースから１個ずつ取り出すことができる。
【０００８】
又、本発明は、つまみを有するリング状シートを外壁面に一体化したことで、略同様に前記取り出すことができる。
【０００９】
又、本発明は低コストで実現することができるため、材料費のコストダウンを図ることができる。
【図面の簡単な説明】
【００１０】
【図１】本発明の実施例１の電池の外観図
【図２】端子を設けて有る電池ケースに装填して有るときの図１の本発明の実施例１の電池などの外観図
【図３】つまみをつまんで引っ張って装填して有る電池ケースから取り出したときの図２の本発明の実施例１の電池などの外観図
【図４】本発明の実施例２の電池の外観図
【図５】端子を設けて有る電池ケースに装填して有るときの図４の本発明の実施例２の電池などの外観図
【図６】つまみをつまんで引っ張って装填して有る電池ケースから取り出したときの図５の本発明の実施例２の電池などの外観図
【図７】従来の電池の外観図
【図８】端子を設けて有る電池ケースに装填して有るときの図７の従来の電池などの外観図
【図９】略端部に引っ掛けて起こした形態で装填して有る電池ケースからつまんで取り出したときの図８の従来の電池などの外観図
【発明を実施するための形態】
【００１１】
本発明を実施するための形態を各図を参照して説明する。
本発明は、つまみ３を有するリング状シート４を装着した電池である。本発明の素材はプラスチック、金属などにしてもよい。又、該つまみ３を有するリング状シート４は合成樹脂にしてもよい。又、該つまみ３を有するリング状シート４は透明なシートから形成してもよい。又、該つまみ３は１ヶ所に限定しなくてもよい。又、前記装着する手段はリング状シートを電池の略半分の高さまで通して、前記通した形態で前記リング状シートの一部をヒートシール法などで接着して該つまみ３を形成して前記リング状シートを締める形態にしてもよい。又、図示しないが、前記装着する手段はシートを電池の略半分の高さで巻いて前記シートの一方の略端部近傍を前記シートの他方の略端部近傍にヒートシール法などで接着して該つまみ３を形成する形態にしてもよい。
【００１２】
又、本発明は、つまみ３を有するリング状シート４を外壁面に一体化した電池にしてもよい。又、前記一体化する手段はリング状シートを電池の略半分の高さまで通して、前記通した形態で前記リング状シートの一部を接着して該つまみ３を形成して前記リング状シートを締める形態で接着する形態にしてもよい。又、前記接着するために使用する接着剤５は合成樹脂にしてもよい。又、該接着剤５は透明な接着剤にしてもよい。又、図示しないが、前記一体化する手段はシートを電池の略半分の高さで巻いて前記シートの一方の略端部近傍を前記シートの他方の略端部近傍に接着して該つまみ３を形成する形態で接着する形態にしてもよい。又、前記接着するために使用する接着剤は合成樹脂にしてもよい。又、前記接着剤は透明な接着剤にしてもよい。
【実施例１】
【００１３】
本発明の実施例１においては図１〜図３に示すようにつまみ３を有するリング状シート４を装着した電池に係わる。
【００１４】
図７〜図９に示す従来の電池においては図９に示すように電池の略端部に引っ掛けて起こした形態で該電池を該電池を装填して有る電池ケース６からつまんで取り出す。しかし、前記引っ掛けて起こす力より該電池ケース６に設けて有る端子７が該電池を押さえる力の方が強いときは、前記引っ掛けて起こすことができないため、前記取り出すことが困難である。
【００１５】
しかし、本発明の実施例１においては図１〜図３に示すようにつまみ３を有するリング状シート４を装着したことで、電池１を装填して有る電池ケース６に設けて有る端子７が該電池１を押さえる力より該つまみ３をつまんで引っ張る力の方が強いため、図３に示すように該つまみ３をつまんで引っ張って該電池１を該電池ケース６から１個ずつ取り出すことができる。
【００１６】
又、本発明の実施例１は低コストで実現することができるため、材料費のコストダウンを図ることができる。
【実施例２】
【００１７】
本発明の実施例２においては図４〜図６に示すようにつまみ３を有するリング状シート４を外壁面に一体化した電池に係わる。又、従来の電池においての説明は本発明の実施例１と同様であるため、省略する。又、本発明の実施例２の効果の説明は本発明の実施例１と略同様であるため、省略する。又、本発明の実施例２の電池を電池２とする。
【産業上の利用可能性】
【００１８】
本発明は、使い勝手がよい構成を低コストで実現することができるため、市場における拡販及び利便性の向上を期待することができる。
【符号の説明】
【００１９】
１  電池
２  電池
３  つまみ
４  つまみ３を有するリング状シート
５  接着剤
６  電池ケース
７  端子
【図１】
2011238503.tif 000003
【図２】
2011238503.tif 000004
【図３】
2011238503.tif 000005
【図４】
2011238503.tif 000006
【図５】
2011238503.tif 000007
【図６】
2011238503.tif 000008
【図７】
2011238503.tif 000009
【図８】
2011238503.tif 000010
【図９】
2011238503.tif 000011
【手続補正書】
【提出日】平成22年7月29日(2010.7.29)
【手続補正１】
【補正対象書類名】明細書
【補正対象項目名】全文
【補正方法】変更
【補正の内容】
【発明の詳細な説明】
【技術分野】
【０００１】
本発明は電池に係わる。
【背景技術】
【０００２】
特許文献１においては空気電池からシールフィルムを剥がす作業を容易にすると同時に機器への装填を容易にしたシールフィルム構造を備えた空気電池というところで本発明と目的を異にし、又、本発明と構成を異にする。
【先行技術文献】
【特許文献】
【０００３】
【特許文献１】特許第４２９８９８１号公報
【発明の概要】
【発明が解決しようとする課題】
【０００４】
電池の略端部に引っ掛けて起こした形態で前記電池を前記電池を装填して有る電池ケースからつまんで取り出す。しかし、前記引っ掛けて起こす力より前記電池ケースに設けて有る端子が前記電池を押さえる力の方が強いときは、前記引っ掛けて起こすことができないため、前記取り出すことが困難であるという短所があった。
【課題を解決するための手段】
【０００５】
つまみを有するリング状シートを略半分の高さで装着したことを特徴とする。
【０００６】
つまみを有するリング状シートを外壁面に略半分の高さで一体化したことを特徴とする。
【発明の効果】
【０００７】
本発明は、つまみを有するリング状シートを装着したことで、電池を装填して有る電池ケースに設けて有る端子が電池を押さえる力より該つまみをつまんで引っ張る力の方が強いため、該つまみをつまんで引っ張って電池を該電池ケースから１個ずつ取り出すことができる。
【０００８】
又、本発明は、つまみを有するリング状シートを外壁面に一体化したことで、略同様に前記取り出すことができる。
【０００９】
又、本発明は低コストで実現することができるため、材料費のコストダウンを図ることができる。
【図面の簡単な説明】
【００１０】
【図１】本発明の実施例１の電池の外観図
【図２】端子を設けて有る電池ケースに装填して有るときの図１の本発明の実施例１の電池などの外観図
【図３】つまみをつまんで引っ張って装填して有る電池ケースから取り出したときの図２の本発明の実施例１の電池などの外観図
【図４】本発明の実施例２の電池の外観図
【図５】端子を設けて有る電池ケースに装填して有るときの図４の本発明の実施例２の電池などの外観図
【図６】つまみをつまんで引っ張って装填して有る電池ケースから取り出したときの図５の本発明の実施例２の電池などの外観図
【図７】従来の電池の外観図
【図８】端子を設けて有る電池ケースに装填して有るときの図７の従来の電池などの外観図
【図９】略端部に引っ掛けて起こした形態で装填して有る電池ケースからつまんで取り出したときの図８の従来の電池などの外観図
【発明を実施するための形態】
【００１１】
本発明を実施するための形態を各図を参照して説明する。
本発明は、つまみ３を有するリング状シート４を装着した電池である。本発明の素材はプラスチック、金属などにしてもよい。又、該つまみ３を有するリング状シート４は合成樹脂にしてもよい。又、該つまみ３を有するリング状シート４は透明なシートから形成してもよい。又、該つまみ３は１ヶ所に限定しなくてもよい。又、前記装着する手段はリング状シートを電池の略半分の高さまで通して、前記通した形態で前記リング状シートの一部をヒートシール法などで接着して該つまみ３を形成して前記リング状シートを締める形態にしてもよい。又、図示しないが、前記装着する手段はシートを電池の略半分の高さで巻いて前記シートの一方の略端部近傍を前記シートの他方の略端部近傍にヒートシール法などで接着して該つまみ３を形成する形態にしてもよい。
【００１２】
又、本発明は、つまみ３を有するリング状シート４を外壁面に一体化した電池にしてもよい。又、前記一体化する手段はリング状シートを電池の略半分の高さまで通して、前記通した形態で前記リング状シートの一部を接着して該つまみ３を形成して前記リング状シートを締める形態で接着する形態にしてもよい。又、前記接着するために使用する接着剤５は合成樹脂にしてもよい。又、該接着剤５は透明な接着剤にしてもよい。又、図示しないが、前記一体化する手段はシートを電池の略半分の高さで巻いて前記シートの一方の略端部近傍を前記シートの他方の略端部近傍に接着して該つまみ３を形成する形態で接着する形態にしてもよい。又、前記接着するために使用する接着剤は合成樹脂にしてもよい。又、前記接着剤は透明な接着剤にしてもよい。
【実施例１】
【００１３】
本発明の実施例１においては図１〜図３に示すようにつまみ３を有するリング状シート４を装着した電池に係わる。
【００１４】
図７〜図９に示す従来の電池においては図９に示すように電池の略端部に引っ掛けて起こした形態で該電池を該電池を装填して有る電池ケース６からつまんで取り出す。しかし、前記引っ掛けて起こす力より該電池ケース６に設けて有る端子７が該電池を押さえる力の方が強いときは、前記引っ掛けて起こすことができないため、前記取り出すことが困難である。
【００１５】
しかし、本発明の実施例１においては図１〜図３に示すようにつまみ３を有するリング状シート４を装着したことで、電池１を装填して有る電池ケース６に設けて有る端子７が該電池１を押さえる力より該つまみ３をつまんで引っ張る力の方が強いため、図３に示すように該つまみ３をつまんで引っ張って該電池１を該電池ケース６から１個ずつ取り出すことができる。
【００１６】
又、本発明の実施例１は低コストで実現することができるため、材料費のコストダウンを図ることができる。
【実施例２】
【００１７】
本発明の実施例２においては図４〜図６に示すようにつまみ３を有するリング状シート４を外壁面に一体化した電池に係わる。又、従来の電池においての説明は本発明の実施例１と同様であるため、省略する。又、本発明の実施例２の効果の説明は本発明の実施例１と略同様であるため、省略する。又、本発明の実施例２の電池を電池２とする。
【産業上の利用可能性】
【００１８】
本発明は、使い勝手がよい構成を低コストで実現することができるため、市場における拡販及び利便性の向上を期待することができる。
【符号の説明】
【００１９】
１  電池
２  電池
３  つまみ
４  つまみ３を有するリング状シート
５  接着剤
６  電池ケース
７  端子
【手続補正２】
【補正対象書類名】特許請求の範囲
【補正対象項目名】全文
【補正方法】変更
【補正の内容】
【特許請求の範囲】
【請求項１】
つまみを有するリング状シートを略半分の高さで装着したことを特徴とする電池。
【請求項２】
つまみを有するリング状シートを外壁面に略半分の高さで一体化したことを特徴とする電池。